(57)【特許請求の範囲】
【請求項１】
フローボックスへ原料を分配給送する所要数の分配管の間隔を、紙料の分配巾を変化させるために調整する間隔調整装置であって、
各分配管は、各々にスライダーを取付けて、このスライダーをフローボックス上に左右の方向に設けられた一対のガイドに移動自在に支持させるとともに、
上記一対のガイド間に、上下方向に移動自在とした操作板を設け、この操作板に分配管を嵌合する長孔を上または下端側が最小間隔で、反対端側が最大間隔となるように分配管と同数個設け、
上記操作板には、これを昇降させて各長孔と各分配管との係合位置を変化させる昇降機構を連係させた
ことを特徴とする紙料分配管の間隔調整装置。
【請求項２】
操作板の昇降機構と、フローボックスにおける可動側枠の移動調整機構とを連動機構により連係させて、分配管の間隔調整とフローボックスの抄紙巾調整とを連動して行なわせる
ことを特徴とする請求項１記載の紙料分配管の間隔調整装置。
【発明の詳細な説明】
【０００１】
【発明の属する技術分野】
本発明は、紙料分配管の間隔調整装置。詳しくは、多数の紙料分配管の間隔調整を同時に正確に行なえる調整装置に関する。
【０００２】
【従来の技術】
フローボックスへ原料紙料を配分給送する分配管の間隔調整装置として、シリンダを用いる案は、本件特許出願人の先願に係る特願平１０−３２７６０２号において開示されている。
【０００３】
しかしながら、このものは、設備費が高く付くだけでなく、順次作動式であるため調整に時間が掛かり、且つ、調整寸法にバラツキを生じ易い問題点がある。
【０００４】
【発明が解決しようとする課題】
本発明に係る紙料分配管の間隔調整装置は、配置される所要数の分配管の間隔を同時に正確に調整することができる間隔調整装置を提供することを課題としている。
【０００５】
【課題を解決するための手段】
前記課題を解決するため、本発明に係る紙料分配管の間隔調整装置は、下記の構成を採用することを特徴とする。
（１）  フローボックスへ原料を分配給送する所要数の分配管の間隔を、紙料の分配巾を変化させるために調整する間隔調整装置であって、各分配管は、各々にスライダーを取付けて、このスライダーをフローボックス上に左右の方向に設けられた一対のガイドに移動自在に支持させるとともに、上記一対のガイドの間に、上下方向に移動自在とした操作板を設け、この操作板に分配管を嵌合する長孔を上または下端側が最小間隔で、反対端側が最大間隔となるように分配管と同数個設け、上記操作板には、これを昇降させて各長孔と各分配管との係合位置を変化させる昇降機構を連係させる。
（２）  操作板の昇降機構と、フローボックスにおける可動側枠の移動調整機構とを連動機構により連係させて、分配管の間隔調整とフローボックスの抄紙巾調整とを連動して行なわせる。
【０００６】
【発明の実施の形態】
以下に本発明に係る紙料分配管の間隔調整装置の実施の形態を図面に基いて説明する。
【０００７】
図面各図は、本発明に係る紙料分配管の間隔調整装置を示す。この間隔調整装置Ａは、フローボックス１へ原料紙料を分配給送する所要数の分配管２と、各分配管２に取付けたスライダー３と、これらスライダーを移動自在に支持するガイド４と、間隔が変化する長孔５を並設して、これら長孔５に前記分配管２を嵌合した操作板６と、この操作板６を昇降させる昇降機構７とにより構成される。
【０００８】
フローボックス１は、図１、図２に示すように底板１ａと、固定の後板１ｂと、内外に移動自在とした両側板８，８とにより構成して、所要数の分配管２により後側から原料紙料を分配給送し、堰板（図面省略）によりフローボックス１の内部全体へ広がらせると共に、紙料の流速、流態等を調整して図示してないスクリーン上へ側板８，８の間隔で決まる抄紙巾により一様な速さと厚さで紙料を流出させる。
【０００９】
フローボックス１の両側板８，８を移動調整するには、図１、図２に示すように底板１ａの両側に固定板９，９を設け、これら固定板９，９に一対のウオーム減速機１０，１０を前後に離隔させて取付け、これらウオーム減速機１０，１０のウオームホイール１１，１１にめねじ１２，１２を内設し、これらめねじ１２，１２に送りねじ１３，１３を螺合させて、送りねじ１３，１３の先端を両側板８，８へ固定する構成を採用する。そして、一対のウオーム減速機１０，１０のウオーム１４，１４に、回転ハンドル１５の回転を伝動機構１６を介して伝達することにより、送りねじ１３，１３を進退させて、両側板８，８を底板１ａと後板１ｂとの水蜜を保持しながら平行移動させ、両側板８，８の間隔調整を行なうようにする。
【００１０】
紙料の分配管２は、逆Ｕ字形の側面形状に形成して、中間の水平部をフローボックス１の後板１ｂ上方に位置させ、この部分に図４、図５に示すように離隔する一対のスライダー３，３を取付け、前側の垂下部を図３に示すようにフローボックス１内へ挿入し、後側の垂下部には、供給管（図面省略）から原料紙料を導入するフレキシブルチューブ１７を接続する。
【００１１】
紙料の分配管２に取付けたスライダー３は、フローボックス１における後板１ｂの上側に左右の方向に配設した一対の水平ガイド４に係合させて、内設したボール・ローラー（図面省略）等をガイド４と転り接触させることにより、円滑軽快な左右移動が行われるようにする。
【００１２】
分配管２の間隔調整操作を行なう操作板６は、上下の方向に配設するもので、板面に分配管２を嵌合する長孔５を、上または下端側が希望する最小間隔になり、反対端側が最大間隔となるように分配管２と同数だけ上下の方向に設ける。そして、この操作板６の両端には、スライダー１８を取付けて、このスライダーフ１８をフローボックス１の後側に縦枠１９に固定して設けた垂直のガイド２０に係合させ、操作板６に設けた各長孔５には各分配管２を嵌合して、操作板６を上下に移動させると、長孔５の分配管２が嵌合している部分の間隔が狭まるか、反対に広まるため、各分配管２はこの間隔変化に応じて相互の間隔を同時に正確に調整される。
【００１３】
分配管２の長孔５に嵌合する部分には、図５に示すよう筒体２１を取付けて、この筒体１に減摩リング２２を交換可能に支持させ、該リング２２を長孔５の壁面と摩擦させて間隔調整を行ない、この調整操作によって分配管２が摩耗しないようにする。
【００１４】
操作板６の昇降機構７は、縦枠１９上に図１、図２に示すように渡した梁材２３に一対のウオーム減速機２４を取付け、これらウオーム減速機２４，２４のウオームホイール２５，２５に図４に示すようにめねじ２６，２６を内設して、これらめねじ２６，２６に昇降機構の送りねじ７，７を螺合させ、この送りねじ７，７の先端を操作板６に固定する構成を採用する。そして、一対のウオーム減速機２４，２４のウオーム２７，２７を、回転ハンドル２８の回転をチエン２９により伝達して回転させると、送りねじ７，７が進退して、操作板６を所定の範囲内において昇降させるようにしてある。
【００１５】
フローボックス１における両側板８，８の間隔調整を行なう回転ハンドル１５の軸３０と、分配管２の間隔調整を行なう回転ハンドル２８の軸３１とを、図３に示すようにチエン３２により連係させれば、一方の回転ハンドルを回転させると、他方の回転ハンドルも回転して、分配管２の間隔調整とフローボックスの側板８，８の間隔調整とを連動して行なう。
【００１６】
前記実施形態に示すものは、フローボックス１の側板８，８の間隔調整及び分配管２の間隔調整を回転ハンドル１５または回転ハンドル２８の手動回転により行なったが、回転ハンドル１５の軸３０と回転ハンドル２８の軸３１の両方に減速機モータ等を連結するか、または、一方の軸に減速機モータを連係させて、両側板８，８の間隔調整と、分配管２の間隔調整とを動力により行なうことができるし、また、前記実施形態においては、移動機構及び昇降機構に送りねじを用いたが、送りねじの代りにピニオン・ラック、シリンダー、その他の往復機構を採用しても同様の作用効果が発揮される。
【００１７】
【発明の効果】
（１）  請求項１の効果  所要数の分配管の間隔調整が同時にできて、しかも、各分配管の間隔はバラツキを生ずることなく正確に揃う。
分配管の間隔は、最小、最大の範囲内であれば、どこでも一定していて多様な間隔設定が正確にできる。
（２）  請求項２の効果  分配管の間隔調整に伴いフローボックスの側板の間隔調整も同時に行なえて便利である。
【図面の簡単な説明】
【図１】本発明に係る紙料分配管の間隔調整装置で分配管の間隔を狭めた状態の正面図である。
【図２】同上装置で分配管の間隔を広げた状態の正面図である。
【図３】同上装置の側面図である。
【図４】同上装置の一部を拡大して示す一部を横断した平面図である。
【図５】分配管のガイドによる支持状態と操作板の長孔への嵌合状態とを一部を縦断して示す拡大正面図である。
【符号の説明】
１  Ａ  間隔調整装置
２  分配管
３  スライダー
４  ガイド
５  長孔
６  操作板
７  昇降機構
【図１】
0004231584.tif 000002
【図２】
0004231584.tif 000003
【図３】
0004231584.tif 000004
【図４】
0004231584.tif 000005
【図５】
0004231584.tif 000006